Podtech/llm-jp-corpus-v4-ja_patent huggingface dataset:
(57)【要約】【課題】蟹足の殻のみを確実に取り除けると共に、前記殻を取り除く作業によって殻が砕けて身にくっつかないようにして、蟹足の殻から身のみを奇麗に取り出せるようにする補助具を提供する。【解決手段】開閉軸で交差する開閉自在なレバー11,11の先端に設けた刃部12,12が、前記レバー11の開閉面に刃体122を直交させてなる蟹足の殻切除具１で、刃部12は、レバー11の先端に設けた取付ベース121と、前記取付ベース121に着脱自在な刃体122とから構成する。【選択図】図１
0003169438.tif 000002
【実用新案登録請求の範囲】
【請求項１】
開閉軸で交差する開閉自在なレバーの先端に設けた刃部が、前記レバーの開閉面に刃を直交させてなる蟹足の殻切除具。
【請求項２】
刃部は、レバーの先端に設けた取付ベースと、前記取付ベースに着脱自在な刃体とからなる請求項１記載の蟹足の切除具。
【考案の詳細な説明】
【技術分野】
【０００１】
本考案は、蟹足の殻の縁部を切り除く切除具に関する。
【背景技術】
【０００２】
蟹足の身を食べるためには、蟹足の殻の中から身だけをほじくり出すやり方が最も単純であるが、すべての身をほじくり出すことが難しい場合が少なくなく、また非常に手が汚れてしまう。これから、蟹足の殻を身から取り除くやり方が検討される。例えば特許文献１が開示する蟹足用折断ハサミは、対向する円弧状の刃部により蟹足の殻のみを切断し、前記殻のみを取り除けるようにする。蟹足の殻のみをうまく切断できるように、円弧状の刃部は鋸歯状に小さな刃を並べており、また過度に刃部が殻に食い込まないように、対向する刃部が離れた位置で切先や把手部に設けたエポが当たるようになっている。
【先行技術文献】
【特許文献】
【０００３】
【特許文献１】実用新案登録第3117904号公報
【考案の概要】
【考案が解決しようとする課題】
【０００４】
特許文献１が開示する蟹足用折断ハサミは、蟹足の殻のみを切断するように工夫されているが、実際には蟹足の大きさが様々なので、寸法が固定された刃部で殻のみを切断することが難しく、また殻が砕ければ小さな殻が身にくっついてしまい、かえって身が食べにくくなっていた。そこで、蟹足の殻のみを確実に取り除けると共に、前記殻を取り除く作業によって殻が砕けて身にくっつかないようにできる補助具を開発するため、検討した。
【課題を解決するための手段】
【０００５】
検討の結果考案したものが、開閉軸で交差する開閉自在なレバーの先端に設けた刃部が、前記レバーの開閉面に刃体を直交させてなる蟹足の殻切除具である。レバーの開閉面は、開閉軸を中心に開閉する一対のレバーが含まれる平面である。レバーの開閉面を鉛直面に揃えた場合、刃体は前記鉛直面に直交して水平方向に延在する。開閉軸を挟んだレバーの刃部との反対側は、利用者がレバーを持つための把手部になる。刃部は、レバーの先端に設けた取付ベースと、前記取付ベースに着脱自在な刃体とから構成するとよい。
【考案の効果】
【０００６】
本考案により、利用者はハサミを扱う要領で切除具を用い、刃部の刃体を蟹足の殻の縁部に沿って宛てがい、前記縁部を殻から切り除くことができる。これにより、殻は切除された縁部を開口として開くことができ、身のみを殻から奇麗に取り出すことができる。前述のように、切除具は、ハサミを扱う要用で利用できるため、煩わしさや手間がかからず、また刃体を殻の縁部に沿って宛てがい、前記縁部のみを確実に切り除け、身に砕けた殻が入り込むことがない。このように、本考案の切除具を利用すれば、簡単かつ確実に蟹足の身を殻から取り出すことができる。
【図面の簡単な説明】
【０００７】
【図１】本考案の殻切除具の一例を正面方向から見た斜視図である。
【図２】本例の殻切除具で蟹足の殻の縁部を切断している状態を背面方向から見た斜視図である。
【考案を実施するための形態】
【０００８】
本考案を実施するための形態について、図を参照しながら説明する。本考案の殻切除具１は、例えば図１に見られるように、外観は通常のハサミに似ている。このため、取り扱いは通常のハサミとほぼ同様である。しかし、ハサミがレバー11の開閉面と平行な刃を有しているのに対して、本考案の殻切除具１は、レバー11の先端に設けた刃部12の刃体11が前記レバー11の開閉面（図１中上下方向に一致する鉛直面に平行）に直交している点がハサミと相違する。
【０００９】
本例の殻切除具１は、開閉軸111を中心に線対称なレバー11,11の一方の中間を刳り貫き、他方のレバー11を貫通させて前記開閉軸111で一体にした構成である。本例の殻切除具１のレバー11は、把手部112を握ることしかできないため、例えば捻りコイルバネを前記開閉軸111に介装させて、刃部12及び把手部112が常時開く方向に付勢するとよい。把手部112が閉鎖環を有し、差し込んだ手でレバー11を開閉させることができる場合、前記捻りコイルバネはなくてもよく、捻りコイルバネを用いて、手によるレバー11の開閉を補助してもよい。
【００１０】
刃部12は、レバー11の先端に形成した取付ベース121に刃体122を固定ボルト123及び固定ナット124で着脱自在に取付けて構成される。取付ベース121は、レバー11の先端を丸めて周縁にフランジを起こして形成され、平坦部分に固定ボルト123の貫通孔を設けている。刃体122は、側面視Ｌ字状の金属板から構成され、対向する先端縁を刃として利用する。レバー11の開閉により接近する刃部12の刃体122は、前記先端縁の突き合わせ又は剪断により、蟹足２の殻21（後掲図２参照）の縁部を切り除く。
【００１１】
開閉軸111を挟んだレバー11の刃部12との反対側は、例えばゴムラバーが装着され、利用者がレバー11を持つための把手部112になる。ゴムラバーが装着される把手部112は、蟹足２の殻21の縁部を切り除く際に掛かる負荷が利用者の手を痛めないように、当たりを弱める働きのほか、把手部112を持つ手の滑り止めとなる。ゴムラバーは、レバー11と別体のものを前記レバー11に被せてもよいし、前記レバー11に直接ゴムを吹き付けてレバー11と一体に構成してもよい。
【００１２】
本例の殻切除具１は、図２に見られるように、次のように使用される。例えば利用者が左手に蟹足２を持ち、右手に殻切除具１を持って、刃部12の刃体122を蟹足２の殻21の縁部に宛てがった状態で把手部112を握ると、前記殻21の縁部を切り除くことができる。利用者は、切り除かれた縁部を開口として殻21を開き、身22を取り出す。縁部が一度に切り除けないほど長い場合は、前記切除作業を複数回繰り返せばよい。
【符号の説明】
【００１３】
１  切除具
11  レバー
111  開閉軸
112  把手部
12  刃部
121  取付ベース
122  刃体
123  固定ボルト
124  固定ナット
２  蟹足
21  殻
22  身
【図１】
0003169438.tif 000003
【図２】
0003169438.tif 000004
(57)【要約】      （修正有）【課題】次処理のはんだ付け・研磨の作業時間を減少し、生産効率を向上し、原材料の浪費を減少する砂型鋳物の鋳造活字保護構造を提供する。【解決手段】鋳物本体と一体になっている鋳造活字が設けられる鋳物本体を含み、鋳物本体は鋳造活字盤に対して鋳造活字より高い突起が設けられ、突起と鋳物本体とが一体に成型されている。【選択図】図１
0003169417.tif 000002
【実用新案登録請求の範囲】
【請求項１】
鋳物本体と一体になっている鋳造活字が設けられる鋳物本体を含む砂型鋳物の鋳造活字保護構造において、
前記鋳物本体は鋳造活字に対して鋳造活字より高い突起が近傍設けられ、前記突起と鋳物本体とが一体に成型されていることを特徴とする砂型鋳物の鋳造活字保護構造。
【請求項２】
前記突起の横断面が扁平な矩形状になっていることを特徴とする請求項１に記載の砂型鋳物の鋳造活字保護構造。
【請求項３】
前記鋳物本体はフランジ盤を有し、前記突起の高さはフランジ盤の円周の高さと同等であることを特徴とする請求項１または２に記載の砂型鋳物の鋳造活字保護構造。
【考案の詳細な説明】
【技術分野】
【０００１】
本考案は砂型鋳物の鋳造活字保護構造に係り、砂型鋳物加工製造の技術分野に属する。
【背景技術】
【０００２】
現在、砂型鋳物は開封された後砂落としプロセスにおいて、砂落とし機の強烈な震動によって開封されたばかりの砂型鋳物が損壊されやすく、加工余裕量あり部位がぶつけられ損壊された場合は特に問題が無いが、鋳造活字がぶつけられ損壊された場合は次処理のはんだ付け・研磨の作業時間が増加され、生産効率が下げられ、原材料の浪費になるなどの問題を引き起こす。
【考案の概要】
【考案が解決しようとする課題】
【０００３】
本考案の目的ははんだ付け・研磨の作業時間を減少し、生産効率を向上し、原材料の浪費を減少するように、砂型鋳物の鋳造活字が砂落としプロセスにおいて損壊されることを有効に防止することができる砂型鋳物の鋳造活字保護構造を提供することにある。従来技術に存在している、鋳造活字が砂落としプロセスにおいてぶちつけられ損壊されやすいことによって次処理のはんだ付け・研磨の作業時間が増加され、生産効率が下げられ、原材料の浪費になるなどの問題を解決した。
【課題を解決するための手段】
【０００４】
本考案の前記技術目的は主に以下の技術手段によって解決され、鋳物本体と一体になっている鋳造活字が設けられる鋳物本体を含み、前記鋳物本体は鋳造活字に対して鋳造活字より高い突起が近傍設けられ、前記突起と鋳物本体とが一体に成型されている。本考案は加工余裕量がある鋳造活字辺縁部に高さが鋳造活字の字体の高さより高い１つの突起を増加し、砂落としの震動プロセスにおいて、鋳物は強烈な震動衝撃状況において突起によって鋳物の鋳造活字字体部を保護することができ、このとき震動損壊された処は鋳造活字の近傍に設置されていた突起のみであり、該処は砂落とした後ガス切断時に簡易に切除されることができ、構造設計が簡単で、字体が震動によって損壊され、押圧によって平にならされることを有効に防止し、それによって、はんだ付け・研磨の作業時間を減少し、生産効率を向上し、原材料の浪費を減少した。
【０００５】
好ましくは、砂落とした後ガス切断で突起を切除することをしやすいように、前記突起の横断面が扁平な矩形状になっている。
【０００６】
好ましくは、前記鋳物本体はフランジ盤を有し、前記突起の高さはフランジ盤の円周の高さと同等で、それによって、フランジ盤の辺縁と共に砂落とし機と接触することができ、鋳造活字に対してより有効に保護することができる。
【考案の効果】
【０００７】
そのため、本考案は砂型鋳物の鋳造活字が砂落としプロセスにおいて損壊されないことを有効に保護することができ、それによって、はんだ付け・研磨の作業時間を減少し、生産効率を向上し、原材料の浪費を減少するなどの特徴を有する。
【図面の簡単な説明】
【０００８】
【図１】本考案の正面構造説明図である。
【図２】本考案の側面構造説明図である。
【図３】本考案と砂落とし機との係合説明図である。
【考案を実施するための形態】
【０００９】
以下は実施例を通じ、且つ添付図面に合わせて、本考案の技術案に対してさらに具体的に説明する。
【実施例１】
【００１０】
実施例１、図１及び図２に示すように、バルブの鋳物本体１に鋳物本体と一体になっている鋳造活字２が設けられ、鋳物本体１はフランジ盤３を有し、鋳物本体１は鋳造活字に対して鋳造活字より高い突起４が近傍設けられ、突起４の高さはフランジ盤３の円周の高さと同等で、突起４と鋳物本体１とが一体に成型され、突起４の横断面が扁平な矩形状になっている。
【００１１】
図３に示すように、突起４が砂落とし機の震動板５と接触され、砂落とし時震動板が強烈に震動され、鋳物本体１における砂をさらさらして脱落させ、突起４の保護によって、鋳造活字２がぶつけられ、ローラー転圧されることが無く、それによって、鋳造活字２を保護する目的を達する。
【図１】
0003169417.tif 000003
【図２】
0003169417.tif 000004
【図３】
0003169417.tif 000005
(57)【要約】      （修正有）【課題】センサーをヒーター付結露防止ボックスに収納することで室内外で温度差のある寒冷地や冷蔵庫・冷凍庫などの出入り口の自動ドアや自動シャッターの開閉を容易に行えるセンサー収納ボックスを提供する。【解決手段】自動ドアや自動シャッターの起動用として使用する近赤外線反射型センサーの収納ボックス１の内部にヒーター２を備え、及び／又は検知窓３に近赤外線が透過するフィルム状のヒーターを用いることにより、室内外で温度差のある寒冷地や冷蔵庫・冷凍庫などの出入り口の自動ドアや自動シャッターの起動用として、近赤外線反射型センサーを使用可能とする。【選択図】図１
0003169378.tif 000002
【実用新案登録請求の範囲】
【請求項１】
自動ドアや自動シャッターの起動用として使用する近赤外線反射型センサーの収納ボックスにおいて、内部にヒーターを備えること、及び／又は検知窓に近赤外線が透過するフィルム状のヒーターを用いることを特徴とする収納ボックス。
【考案の詳細な説明】
【技術分野】
【０００１】
本考案は、自動ドアや自動シャッターの起動用として使用する近赤外線反射型センサーの収納ボックスに関するものである。
【背景技術】
【０００２】
室内外で温度差のある寒冷地や冷蔵庫・冷凍庫などの出入り口の自動ドアや自動シャッターでは、近赤外線反射型センサーを設置した場合、センサーの表面に結露による水滴や、凍結による霜や氷が付着し使用できない為、人による開閉及びプルスイッチなどの人的操作が必要になっている。
【考案の概要】
【考案が解決しようとする課題】
【０００３】
扉を開閉するためには、人が荷物などを持っている状態では開閉の操作ができず、いったん荷物を扉付近に置き、開閉の操作後、再度荷物を持ち入り、さらに内側でも同じ動作を行う必要がある。
【０００４】
フォークリフトの操縦者がプルスイッチなどを操作して扉を開閉する場合では、開閉操作用の紐がフォークリフトにからんだりして事故につながることがある。また、必ず開閉操作用の紐の場所に行かなくてはいけないため、荷物を積んだ状態では容易に開閉することができない。
【課題を解決するための手段】
【０００５】
自動ドアや自動シャッターの起動用として使用する近赤外線反射型センサーの収納ボックスにおいて、内部にヒーターを備えること、及び／又は検知窓に近赤外線が透過するフィルム状のヒーターを用いることにより、室内外で温度差のある寒冷地や冷蔵庫・冷凍庫などの出入り口の自動ドアや自動シャッターの起動用として、近赤外線反射型センサーを使用可能とする。
【考案の効果】
【０００６】
近赤外線反射型センサー全体を収納ボックスの中に入れ、収納ボックスの内部、及び／又は検知窓を暖めることにより、室内外で温度差のある寒冷地や冷蔵庫・冷凍庫などの出入り口の自動ドアや自動シャッターの起動用として、近赤外線反射型センサーを設置しても、近赤外線反射型センサー及び収納ボックスには結露による水滴や、凍結による霜や氷が付着することなく、一般環境と同じように近赤外線反射型センサーを動作させることが可能になる。
【０００７】
室内外で温度差のある寒冷地や冷蔵庫・冷凍庫などの出入り口の自動ドアや自動シャッターなどを自動運行することが可能になり、人が荷物を持ったままで開閉可能となる。また、無駄な開閉が減り、省エネとなる。
【０００８】
さらに近赤外線反射型センサーを用いることで間口全体での検知が可能なため、フォークリフトや人が扉の近くに来ることで扉が開けられる。また、近赤外線反射型センサーのエリアは広いため、扉の挟みこみやフォークリフトによるシャッターへの衝突事故も軽減される。
【図面の簡単な説明】
【０００９】
【図１】本考案のヒーター付きセンサー収納ボックスの第１の構成を示した概要図である。
【図２】本考案のヒーター付きセンサー収納ボックスの第２の構成を示した概要図である。
【考案を実施するための最良の形態】
【００１０】
図１は、本考案のヒーター付きセンサー収納ボックスの第１の構成を示した概要図で、センサー収納ボックスを正面から見た図である。１はセンサー収納ボックス、２はヒーター、３は検知窓である。ヒーター２に、発熱抵抗などを用い、ヒーター２をセンサー収納ボックス１の内側に内蔵し、発熱させることで、収納ボックス１の内部を暖める。
【００１１】
図２は、本考案のヒーター付きセンサー収納ボックスの第２の構成を示した概要図で、センサー収納ボックスを正面から見た図である。１はセンサー収納ボックス、４は検知窓用ヒーターである。検知窓用ヒーター４に、近赤外線が透過するフィルムヒーターなどを用い、検知窓用ヒーター４を検知窓として使用し、発熱させることで、検知窓を暖める。
【００１２】
また、ヒーターと検知窓用ヒーターの両方をセンサー収納ボックスに装備してもよい。センサー収納ボックスの内部、及び／又は検知窓を暖めることで、室内外で温度差のある寒冷地や冷蔵庫・冷凍庫などでも、一般環境と同じように近赤外線反射型センサーを動作させることが可能となる。
【符号の説明】
【００１３】
１・・・センサー収納ボックス
２・・・ヒーター
３・・・検知窓
４・・・検知窓用ヒーター
【図１】
0003169378.tif 000003
【図２】
0003169378.tif 000004
(57)【要約】      （修正有）【課題】バンカーサイロのサイレージ詰め込み作業において、シートの補修を省き、円滑な作業を行える農業用コンクリート製バンカーサイロを提供する。【解決手段】コンクリート天端部を樹脂コーティングする。【選択図】図１
0003169301.tif 000002
【実用新案登録請求の範囲】
【請求項１】
農業用コンクリート製バンカーサイロにおいて、コンクリート天端部を樹脂コーティングし、シートを破れない様、保護した特徴とするバンカーサイロ。
【考案の詳細な説明】
【技術分野】
【０００１】  本考案は、農業用であるコンクリート製バンカーサーロの天端に関するものである。
【背景技術】
【０００２】  コンクリート製バンカーサイロは、月日が経過すると経年劣化が進行し、天端部に細骨材が露出され、サイレージを詰め込む際、摩擦抵抗でシートを破り、補修作業を生じさせていた。【０００３】  経年劣化の一因として、Ｐｈ１２〜１３であるコンクリートは、酸に接触すると表面から喪失して行く特性を有している。サイレージはＰｈ４の酸性物質であり、水蒸気により飛散、コンクリートに付着し、劣化していた。【０００４】  また、新設するバンカーサイロは、コンクリート形状の突起が鋭角であるため、シートが破れやすい状態となっていた。
【考案の開示】
【考案が解決しようとする課題】
【０００５】  サイレージ詰め込み作業は、家畜を飼いながら昼間の限定された時間に行われるもので、天候による中断を有する作業である。その環境下、円滑に作業を進めるため、バンカーサイロの天端を平滑にし、作業時間の浪費を解決しようとするものである。
【課題を解決するための手段】
【０００６】  本考案は、この課題を解決する手段として、農業用コンクリート製バンカーサイロにおいて、コンクリート天端部を樹脂コーティングし、シートを破れない様、保護することにより、問題を解決している。
【考案の効果】
【０００７】  上述の様に、天端部分のコンクリートを平滑にすると、サイレージ詰め込みの際、シートを破かずに済み、補修に要する時間を省略することができる。
【図面の簡単な説明】
【０００８】
【図１】本考案の天端コンクリートを示す斜視図である。
【図２】施工前の天端を拡大した断面図である。
【図３】樹脂コーティングを施工した断面図である。
【図４】シートの布設状況を示す斜視図である。
【図５】サイレージ詰込後の斜視図である。
【考案を実施するための形態】
【０００９】  粗面部ならびに、鋭角となっているバンカーサイロのコンクリート天端をサンダーにより削り取る。コンクリート表面に空隙が生じている箇所は、セメント系パテ材で充填する。コンクリート面の下地処理完了後、ローラー又は刷毛塗りにより樹脂を塗布する。
【実施例】
【００１０】  以下、本考案に係る一実施例を説明する。図１は、天端コンクリートを示す斜視図である。実施する箇所は、コンクリート躯体２の天端部である１の範囲である。【００１１】  図２は、施工前の天端を拡大した断面図である。天端面１は、細骨材が露出していることが多く隅各部３は鋭角となっており、シートが破れる原因となる。【００１２】  図３は、樹脂コーティングを施工した断面図である。既設形状からこの断面まで削り込み、樹脂コーティングする。【００１３】  図４は、シートの布設状況を示す斜視図である。バンカーサイロにサイレージを詰める前工程であり、シートは５ａから５ｂに向かって布設するため、従来、この工程において破れる事が多かった。【００１４】  図５は、サイレージ詰込後の斜視図である。サイレージ６を底から詰め込んで行き、完了した状態である。従来、この工程においてシートの補修作業を行っていた。
【符号の説明】
【００１５】  １    天端コンクリート
２    コンクリート躯体
３    隅角部
４    樹脂コーティング
５    シート
５ａ  シート移動始点
５ｂ  シート移動終点
６    サイレージ
【図１】
0003169301.tif 000003
【図２】
0003169301.tif 000004
【図３】
0003169301.tif 000005
【図４】
0003169301.tif 000006
【図５】
0003169301.tif 000007
(57)【要約】      （修正有）【課題】デジタルカメラは、セルフタイマーやリモコンスイッチを使用して自分自身を撮影する際に、被写体である自分自身のモニター画面を、正確に確認することが出来るカメラを提供する。【解決手段】デジタルカメラ本体１とカメラ本体の一部であるモニター画面の部分２をカメラ本体から分離して、カメラ本体が捉えた映像を無線電波によってモニター画面に送信し、その映像を正確に確認しながら最良のアングルで写真撮影ができるようにカメラを構成する。【選択図】図１
0003169313.tif 000002
【実用新案登録請求の範囲】
【請求項１】
デジタルカメラ本体と、カメラ本体の一部であるモニター画面を分離したカメラ。
【考案の詳細な説明】
【技術分野】
【０００１】本考案は、デジタルカメラ本体と、モニター画面の部分を分離し、セルフタイマーやリモコンスイッチを使用して自分自身を撮影する際に、カメラ本体が捉えた映像を無線電波によってモニター画面の部分に送信し、その映像を確認しながら撮影できるように考案したものである。
【背景技術】
【０００２】従来のデジタルカメラは、セルフタイマーやリモコンスイッチを使用して自分自身を撮影する際に、被写体である自分自身のモニター画面の映像を、正確に確認することが困難であった。
【考案の開示】
【考案が解決しようとする課題】
【０００３】しかし、これでは一回の撮影で自分自身の完璧な写真を撮ることが困難であり、さらに何回も撮り直しをするという不便さがあった。
【課題を解決するための手段】
【０００４】そこで、デジタルカメラ本体とモニター画面の部分を分離し、カメラ本体が捉えた映像を無線電波によって、モニター画面の部分に送信できるカメラを考案した。（図１）
これにより、モニター画面で自分の姿を確認しながら、正確な写真撮影ができるようになる。
【考案の効果】
【０００５】よって、本考案に係るカメラを使用することにより、自分自身が気に入った様々なポーズで写真が撮れるようになる。
【考案を実施するための最良の形態】
【０００６】分離式モニター画面の部分は、セルフタイマーやリモコンスイッチを使用しない通常の撮影をする場合は、デジタルカメラ本体に収納できるように設計し、（図２）通常の撮影時には無線電波を使用しないで、カメラ本体と直結できるように製作するのが望ましい。
【図面の簡単な説明】
【０００７】
【図１】デジタルカメラ本体と、モニター画面の部分を分離した見取り図である。
【図２】分離式モニター画面の部分を、デジタルカメラ本体に収納した見取り図である。
【符号の説明】
【０００８】１    デジタルカメラ本体
２    分離式モニター画面の部分
【図１】
0003169313.tif 000003
【図２】
0003169313.tif 000004
(57)【要約】      （修正有）【課題】表側にツボや反射区、およびそれらが対応する身体部位が明示され、裏側には滑り止め加工が施された手技療法補助衣類を提供する。【解決手段】実際の施術では、足の指を１本１本つまむこともあるため、靴下は５本指靴下を使用する。５本指靴下は、指や棒の圧力が直接感じられるように薄手の綿や絹製とする。５本指靴下の表側に、ツボもしくは反射区の位置を印刷や刺繍等によって色により識別できるように図示２し、それぞれにツボや反射区が対応する身体部位（内臓や身体の部位等）を文字３にて明示する。５本指靴下の裏側（皮膚に接する側）には、全体的にシリコンや天然ゴムなどによる滑り止め加工を施す。なお、汗等により滑り止め効果が減少するのを防止するため、滑り止め加工はメッシュ状で通気性を確保できる形状とする。【選択図】図１
0003169318.tif 000002
【実用新案登録請求の範囲】
【請求項１】
指や棒の圧力が直接身体に感じられる程度に薄く伸縮性のある素材で作られており、表側にツボや反射区の位置およびそれらが対応する身体部位が色や文字、記号で表示され、裏側には滑り防止加工が施された、身体に装着する手技療法補助衣類
【考案の詳細な説明】
【技術分野】
【０００１】
本考案は、表側にツボや反射区が表示され、裏側に滑り止め加工が施された、身体に装着して使用する手技療法の補助に利用できる衣類に関するものである。
【背景技術】
【０００２】
ここでは、手技療法を国家資格保持者が行うあん摩、指圧、マッサージや、民間療法として広まっているリフレクソロジーやリンパマッサージなど、器械を用いずに手や足（場合により棒状の簡易器具）を使って行う治療法と定義する。手技療法では、ツボや反射区を刺激することで、それらが対応する身体部位の機能改善等を目的とするため、症状に応じて適切なツボや反射区を刺激する必要がある。従来は、ツボや反射区を表示した文献や模型を参考にして訓練等を行っていた。そのため、ツボや反射区の位置を覚えるためには、施術部位から目を離して確認する必要があり、効率が悪かったり覚えにくい状況となっている。
【考案の概要】
【考案が解決しようとする課題】
【０００３】
これらの先行技術では、身体に装着する衣類の表側にツボや反射区を表示したり、それらが対応する身体部位を明示している。しかし、実際の施術では、指や棒等で垂直方向に押すだけではなく、それらを滑らせたり摩擦することがあるため、ツボや反射区の正しい位置を保持するためには衣類のズレを防止する必要があるが、先行技術ではそこまでは考慮されていない。本考案は、この課題を解決するものである。
【課題を解決するための手段】
【０００４】
身体に密着する衣類（靴下、手袋、全身タイツ等）の表側にツボや反射区の位置、およびそれらが対応する身体部位を印刷や刺繍などにより表示するとともに、衣類の裏側（皮膚に接する側）にシリコンや天然ゴムなどによる滑り止め加工を施すことで、施術中のズレを防止する。
【考案の効果】
【０００５】
身体に密着する衣類にツボや反射区、およびそれらが対応する身体部位が表示されているためにそれらの位置が明確であり、さらに滑り止めによりズレが防止されるため、施術の練習や訓練が容易になる。また、普段施術に関わらない者でも自分で施術できるようになる。
【図面の簡単な説明】
【０００６】
【図１】本考案の足裏正面図
【図２】本考案の足側面図（親指側）
【図３】本考案の靴下展開図（親指側から）
【考案を実施するための形態】
【０００７】
以下、本考案の実施の形態について、靴下の場合を例にとって説明する。
実際の施術では、足の指を１本１本つまむこともあるため、靴下の場合は(1)のように５本指靴下を使用する。５本指靴下は、指や棒の圧力が直接感じられるように薄手の綿や絹製とする。５本指靴下の表側に、(2)のようにツボもしくは反射区の位置を印刷や刺繍等によって色により識別できるように図示し、それぞれにツボや反射区が対応する身体部位（内臓や身体の部位等）を(3)のように文字にて明示する。５本指靴下の裏側（皮膚に接する側）には、(4)のように全体的にシリコンや天然ゴムなどによる滑り止め加工を施す。なお、汗等により滑り止め効果が減少するのを防止するため、滑り止め加工はメッシュ状で通気性を確保できる形状とする。
【産業上の利用可能性】
【０００８】
・  手技療法実施事業者の訓練用具としての利用が期待できる
（ロ）手技療法を受けることを嗜好する者が購入し、自分の趣味として利用することが期待できる。
【符号の説明】
【０００９】
・  靴下の5本指構造
・  ツボおよび反射区およびそれらが対応する身体部位を示した区域
・  ツボおよび反射区が対応する身体部位を示した文字
・  靴下内側全面に貼り付けた通気性のある滑り止め防止
【図１】
0003169318.tif 000003
【図２】
0003169318.tif 000004
【図３】
0003169318.tif 000005
(57)【要約】      （修正有）【課題】通常のメガネとしてメガネの上部分をサングラスとして遮光しかつメガネの部分が良好な視界及び広い視野を確保することができる眼鏡一体型サングラスを提供する。【解決手段】眼鏡の左右一対の眼鏡レンズの上部に上から被せることが可能な断面逆凹形で横長の色付きプラスチックからなる。本眼鏡一体型サングラスは、メガネの左右一対の眼鏡レンズの上部に色彩プラスチックを被せるだけでメガネの上部が通常のサングラスになり、顔を上下にするだけで、サングラス通常の遮光なしの視界を確保するメガネとして使用することができる。【選択図】図１
0003169315.tif 000002
【実用新案登録請求の範囲】
【請求項１】
眼鏡の左右一対の眼鏡レンズの上部に上から被せることが可能な断面逆凹形で横長の色付きプラスチックからなることを特徴とする眼鏡一体型サングラス。
【請求項２】
鼻部との干渉を避ける切欠部が下部中央に設けられていることを特徴とする請求項１記載の眼鏡一体型サングラス。
【考案の詳細な説明】
【技術分野】
【０００１】  本考案は、通常メガネ、遠近両用メガネ、老眼鏡等、光を遮光する場合にメガネに付加して用いられるサングラスに関するものである。
【背景技術】
【０００２】  自動車運転や動く乗物や自転車、徒歩等において、進行方向に向って太陽の光を受け、遮光しながら進むには、どうしてもサングラスやサンバイザーで光を避け、あるいは顔を下に横に向ける方法がある。また車を運転中、トンネル内に光源の照明があっても、内と外の明るさの違いにより、トンネル出口の前方の光がまぶしすぎることがある。
【考案の開示】
【考案が解決しようとする課題】
【０００３】  本考案は、眼鏡の左右一対のリム上部に被せるだけで、通常のメガネとしてメガネの上部分をサングラスとして遮光し、かつメガネの下部分が良好な視界及び広い視野を確保することができる眼鏡一体型サングラスを提供することを目的とする。
【課題を解決するための手段】
【０００４】  本考案の眼鏡一体型サングラスは、眼鏡の左右一対眼鏡レンズの上部に上から被せることが可能な断面逆凹形で横長の色付プラスチックからなることを特徴とする。【０００５】  また、本考案の眼鏡一体型サングラスは鼻部との干渉を避ける切欠部が下部中央に設けられていることを特徴とする。
【考案の効果】
【０００６】  本考案の眼鏡一体型サングラスは、メガネの左右一対の眼鏡レンズの上部に色彩プラスチックを被せるだけでメガネの上部が通常のサングラスになり、顔を上下にするだけで、サングラス通常の遮光なしの視界を確保するメガネとして使用することができる。したがって非常に便利なサングラスを提供することができる。
【図面の簡単な説明】
【０００７】【図１】本考案の眼鏡一体型サングラス本体の斜視図である。
【図２】眼鏡一体型サングラス配置図である。
【考案を実施するための最良の形態】
【０００８】  以下、本考案の形態を図１〜図２に基づいて説明する。【０００９】  図において、眼鏡一体型サングラス１０は、メガネ左右のリム１２のレンズ面に上部から被せて、サングラスとして、顔を上下することで遮光と遮光なしの視界を確保することができる眼鏡一体型サングラス本体斜視図である。【０００１０】  眼鏡一体型サングラス１０は色付プラスチックからなることで鼻部との干渉を避ける切欠部１７が下部中央に設けられている。フック１１は、リム１２上部に被せるフック面である。リム１２は、眼鏡枠ではカットレンズの周囲を取り巻く金属部分である。ブリッジ１３は、左右のリムをつなぐ部分で、正面から見るとレンズとレンズの間に架かった橋の所である。ヨロイ１４は、テンプル１８とリム１２をつなげる部分の名称である。【００１１】  パッド１５は、鼻当てとも呼ばれ、ブリッジ１３の下方において眼鏡枠を鼻で支える支点部分である。レンズ１６は、前面から見たレンズ形状をしている。切欠部１７は、鼻部との干渉を避ける下部中央部である。テンプル１８は、ヨロイ１４から先の耳に掛かる部分である。【００１２】  通常、晴天時に外出したり、海辺や自動車運転等、動いたり移動したりする時、目に入る光がとても眩しい時どうしてもサングラスを使用したり、サンバイザーを降ろし光を遮光しそれぞれ、かけたり、外したりして目を保護している。また長くサングラスをかけていると、通常の視界をどうしても確認したくなる傾向がある。考案の配置図の眼鏡一体型サングラスは、サングラスを外したり、かけたりする必要がなく遮光と遮光なしで視界を顔を上下するだけでサングラスと通常メガネとして不安なく遮光と視界を識別でき便利である。【００１３】  本体の眼鏡一体型サングラス１０は、多色に揃えて着脱可能に取り替えでき、色彩効果も発揮できる。
【符号の説明】１０  眼鏡一体型サングラス１１  フック１２  リム１３  ブリッジ１４  ヨロイ１５  パッド１６  レンズ１７  切欠部１８  テンプル
【図１】
0003169315.tif 000003
【図２】
0003169315.tif 000004
(57)【要約】      （修正有）【課題】コンクリートの枠型を形成固定するセバレーターを、コンクリート乾燥形成後、動かなく固定することができるセバレーターを提供する。【解決手段】建築型枠工事に属する間隔保持材のセバレーターａの、中央部を、大きく楕円形状の突起とすることでコンクリート乾燥形成後、動かなく、引き抜けなくし、再利用することができるようにして、抜けない型枠セバレーターを形成する。【選択図】図１
0003169325.tif 000002
【実用新案登録請求の範囲】
【請求項１】
建築型枠工事に属する間隔保持材のセパレーターの、中央部を、大きく楕円形状の突起とすることでコンクリート乾燥形成後、動かなく、引き抜けなくし、再利用することを目的、特徴とする、抜けない型枠セパレーター。
【考案の詳細な説明】
【技術分野】
【０００１】  本考案は、コンクリート乾燥成形後、型枠を固定するための、セパレーターが、動かなく、抜けないようにして再利用したい思いから考案しました。
【背景技術】
【０００２】  本考案は、コンクリート乾燥成形後、型枠を形成固定するための、セパレーターが、動かなく、抜けなくし、再利用するために考案したものである。
【先行技術文献】
【０００３】
【特許文献】
【０００４】
【特許文献１】実開６−６７６９０
【考案の概要】
【考案が解決しようとする課題】
【０００５】  解決しようとする問題点は、型枠を形成固定するセパレーターを、コンクリート乾燥形成後、動かなく固定することである。
【課題を解決するための手段】
【０００６】  セパレーターの、中央部を楕円形状突起で大きくし動かなくする。
【考案の効果】  セパレーターが、動かなく、引き抜けなくなり、再利用ができる。
【図面の簡単な説明】
【０００７】
【図１】使用状況の説明図である。
【考案を実施するための形態】
【０００８】  型枠を形成固定するための、セパレーター中央部を、楕円形状突起で大きくし、抜けにくくすることでコンクリート乾燥形成後、再利用が多様化できる。
【符号の説明】
【０００９】ａ，中央部を楕円形状の突起にし、大きくした、セパレーター
【図１】
0003169325.tif 000003
(57)【要約】      （修正有）【課題】通常よりも厚めの材料を用いてクリアファイルを作製することで、強度を増幅し、うちわとしての用途とクリアファイルとしての用途を兼ね備えたクリアファイルを提供する。【解決手段】うちわとして使用することを前提に、クリアファイルの四隅を大きめのアールで処理し、人体に接触した場合の危険性を低下させることで、うちわとしての用途を容易にする物である。この団扇機能付きクリアファイルの材料はシートの素材が光透過性を有する再生樹脂材料もしくはトウモロコシ等から製造されるＰＬＡ（ポリ乳酸）を主原料としたプラスチック材料を使用して環境に優しい商品として作成することができる。【選択図】図１
0003169330.tif 000002
【実用新案登録請求の範囲】
【請求項１】
０．３ｍｍのポリプロピレンフィルムシート（以下ＰＰと表記）を材料とすることで、従来のクリアファイルよりも厚みを持たせることで団扇として使用した場合にも十分な強度と機能を持つところを特長とする団扇機能付きクリアファイル。
【請求項２】
前記の材料に対する印刷は、オフセット印刷を用いて絵や文字、写真などを印刷した請求項１に記載の団扇機能付クリアファイル。
【考案の詳細な説明】
【技術分野】
【０００１】  本考案は主として、フィルムシート材料に対して多目的に使用できる利便性の高いノベルティー商品に関するものである。
【背景技術】
【０００２】  従来のクリアファイルは、０．２ｍｍ厚のＰＰフィルムを用い耐久性に乏しい物だった。
【考案が解決しようとする課題】
【０００３】  従来のクリアファイルは、０．２ｍｍ厚のＰＰフィルムを用い耐久性に乏しく、うちわのように扇いで使った場合に「折れ」や「しわ」の要因になった。これを０．１ｍｍ厚いＰＰフィルムを用いて作成することで、十分な風量を持ちかつ強度を保つことが出来る。
【０００４】  少なからずプラスチック製品は廃棄処理の段階で環境に負荷をかけてしまうという課題を持っているが、本考案である団扇機能付クリアファイルの材料シート素材を再生樹脂材料もしくはトウモロコシ等から製造されるＰＬＡ《ポリ乳酸》を主原料とした生分解性プラスチック材料を使用して作成することで環境負荷の課題を解決することができる。
【課題を解決するための手段】
【０００５】  ０．３ｍｍ厚のＰＰフィルム材料を用い、団扇としての使用も考慮したアールを大きめに施した形状によって、長期にわたって団扇としての使用とクリアファイルとしての使用を両立させることが出来る。
【考案実施の形態】
【０００６】  図１は本考案の団扇機能付きクリアファイル（Ｆ）の視図である。図１で団扇機能付きクリアファイル（Ｆ）の左辺（ａ）は山折になっており、底辺（ｂ）で圧着されている。そのため左辺（ａ）と底辺（ｂ）は閉じた状態になっている。上辺（ｄ）と右辺（ｃ）は開口しているため、ここから書類等を出し入れすることができる。
【０００７】  図２は本考案の団扇機能付きクリアファイル（Ｆ）の展開図である。図１で団扇機能付きクリアファイル（Ｆ）は１枚のフィルムシートを折り曲げ、底辺（ｂ）を圧着することで右辺（ｃ）に開口部を持つことが出来、書類の分別性能を高めることが出来る。
【０００８】  この団扇機能付きクリアファイル（Ｆ）の材料はシートの素材が光透過性を有する再生樹脂材料もしくはトウモロコシ等から製造されるＰＬＡ《ポリ乳酸》を主原料としたプラスチック材料を使用して環境に優しい商品として作成することもできる。環境に優しい商品として使用する場合、宣伝広告効果を更に高めることができる。
【図面の簡単な説明】
【０００９】
【図１】本考案の団扇機能付きクリアファイルの視図
【図２】図１の団扇機能付きクリアファイルの展開図
【符号の説明】
【００１０】Ｆ  団扇機能付きクリアファイル
ａ  左辺
ｂ  底辺
ｃ  右辺
ｄ  上辺
【図１】
0003169330.tif 000003
【図２】
0003169330.tif 000004
(57)【要約】      （修正有）【課題】簡単に組み立てられ素早く製造することができるマットを提供する。【解決手段】底敷層の上表面に、複数の竹片１１を配列してなる竹片層を設けてなる。その内、底敷層は、通気性を備えたマット１０であり、竹片層は、底敷上に粘着結合され、行状に結合された各行の竹片の間には、装飾棒部が結合される。【選択図】図１
0003169334.tif 000002
【実用新案登録請求の範囲】
【請求項１】
配列された複数の竹片からなる竹片層を、底敷層の上表面に結合させてなることを特徴とする、マット。
【請求項２】
底敷層は通気性を備えたマットであることを特徴とする、請求項１に記載のマット。
【請求項３】
竹片層は、底敷層上に粘着結合されることを特徴とする、請求項２に記載のマット。
【請求項４】
行状に結合された各行の竹片の間には、装飾棒部が結合されることを特徴とする、請求項１、または請求項２、または請求項３に記載のマット。
【考案の詳細な説明】
【技術分野】
【０００１】
本考案は簡単に組み立てられ素早く製造することができるマットに関する。
【背景技術】
【０００２】
図１は、従来のマットの平面図である。従来のマットは、穿孔１１１が設けられた複数の竹片１１を行状に配列し、各行の竹片１１の間に、それぞれ、支持棒１２を設け、さらに、弾性線１３を各竹片１１に対応する穿孔１１１に貫設し、縛って固定することで、マット１０を形成させる。
【考案の概要】
【考案が解決しようとする課題】
【０００３】
本考案は、簡単に組み立てられ素早く製造することができるマットを提供することを目的とする。
【０００４】
また、本考案は、製造工数を短縮してコストを減らすことができるマットを提供することを目的とする。
【課題を解決するための手段】
【０００５】
上述の目的を達成するために、本考案は、底敷層の上表面に、複数の竹片を配列してなる竹片層を設けてなる。その内、底敷層は、通気性を備えたマットであり、竹片層は、底敷上に粘着結合され、行状に結合された各行の竹片の間には、装飾棒部が結合される。
【考案の効果】
【０００６】
本考案は、簡単に組み立てられ素早く製造することができるため、メーカーが生産管理をしやすくなり、それにより納品期日を把握しやすくなるという、使用上の進歩性を備えている。また、簡単に製造できるため、製造工数を短縮してコストを減らすことができ、従って、経済効果を兼ね備えている。
【図面の簡単な説明】
【０００７】
【図１】従来のマットの平面図である。
【図２】本考案の分解斜視図である。
【図３】本考案の斜視図である。
【考案を実施するための形態】
【０００８】
図２は、本考案の分解斜視図である。本考案のマットは、底敷層２０と、複数の竹片３０とからなる。その内、底敷層２０は、通気性を備えたマットである。また、複数の竹片３０は、底敷層２０の上表面に、行状に配列されるとともに粘着される。各行の竹片３０の間に装飾棒部Ａを結合し、底敷層２０上に適切な面積の竹片層３０’を結合させると、図３に示すようなマットが形成される。
【０００９】
上述した本考案による「マット」は、簡単に組み立てることができ、通気性を備えたマットを素早く製造することができる。従って、メーカーは生産管理がしやすくなるため納品期日を把握しやすくなるとともに、工数とコストを下げることもできるため、経済効果も兼ね備えており、進歩性を有している。
【符号の説明】
【００１０】
（従来技術）
１０    マット                  
１１    竹片                
１１１  穿孔
１２    支持棒                                
１３    弾性線
（本考案）
２０    底敷層                
３０    竹片                  
３０’  竹片層
Ａ      装飾棒部
【図１】
0003169334.tif 000003
【図２】
0003169334.tif 000004
【図３】
0003169334.tif 000005
(57)【要約】      （修正有）【課題】高価で複雑な装置を用いず、ベルトの異常を音により通報する、ベルトの異常通報装置を提供する。【解決手段】ベルトカバー１の正面部の中心部付近から上向きに、棒状体２を添うように取り付ける。更に、棒状体２の片端に鈴３を針金により結えつける。ベルトが正常動作している際は、ベルトカバー１は振動せず、鈴３も鳴らないが、ベルトに異常が発生した場合、ベルトカバー１が振動し、この振動を棒状体２が伝達・増幅することで鈴３が鳴り出し、このことにより、ベルトに異常があることを知ることが可能となる。【選択図】図１
0003169943.tif 000002
【実用新案登録請求の範囲】
【請求項１】
モーターの動力を伝えるベルト部にカバーを取り付けた構造をもつものであって、片端に鈴が取り付けられた棒状体を、振動を伝達するように前記カバーに設けたことを特徴とするベルトの異常通報装置。
【考案の詳細な説明】
【技術分野】
【０００１】
本考案は、高価で複雑な装置を用いず、ベルトの異常を音により通報する、ベルトの異常通報装置に関するものである。
【背景技術】
【０００２】
モーターから動力を伝達する手段として、Ｖベルトをはじめとした各種ベルトが用いられている。このベルトを用いる場合、ベルトがむき出しの状態であると作業者がベルトに巻き込まれる恐れがある為、これらのベルトにはカバーが取り付けられることが多い。ところが、ベルトカバーを取り付けることにより、ベルトが磨耗し、異常状態となったとしても目視することが出来ず、その異常に気づくことは困難である。また、異常状態となった場合、通常、ベルトが振動し、その振動がベルトカバーへ伝わるが、工場等、建屋に隠れていたり、他の騒音源が多い場所においては、ベルトカバーの振動やその振動音に気づかないことが多い。
【０００３】
このような問題から、ベルトに異常が発生した場合、その異常を知らせる装置は多数知られている。例えば、Ｖベルトに異常検出用のローラーを取り付け、この検出ローラーを介して異常を発見した場合、異常を通報するものがある。（特許文献１）
【０００４】
【特許文献１】実開昭６２−１２４３５６号公報
【考案の開示】
【考案が解決しようとする課題】
【０００５】
しかし、上述の特許文献１に代表されるようなベルトの異常通報装置は電気的なものによるものが多く、検出器、信号処理機、表示器及びそれに伴う配線等の複雑で高価な装置が多数必要でそれを設置する場所や取付け方法も考えなければならなかった。それに加えて電気的信号を利用することから、化学工場等引火性ガスを取扱う場所ではこれらの装置に対しては本質安全防爆構造とすることが必要となり、装置及び装置取り付けのコストが更に高くなるため、電気的信号を利用することなく、より簡便でかつ安価な装置の開発が望まれていた。
【課題を解決するための手段】
【０００６】
本考案は、モーターの駆動を伝えるベルト部にカバーを取り付けた構造を持つものであって、前記カバーに接するように振動を伝達する棒状体を取り付け、更にその棒の片端に鈴を取り付けたことを特徴とするベルトの異常通報装置に関する考案である。
【考案の効果】
【０００７】
本考案のベルトの異常通報装置によると、複雑で高価な装置や特別な設置場所を必要とせず、簡易に取り付ける事ができ、なおかつ電気的信号を利用しないため防爆構造を必要とせず、ベルトに異常があった場合、ベルトカバーが振動し、その振動が棒状体により伝達・増幅されることにより鈴が鳴ることで、ベルトが異常状態であることを知ることが出来る。また、特異的な鈴の音により異常状態を通報することから、工場のような建屋の影に隠れていたり、他の騒音が多い場所においても、離れた場所からベルトが異常状態であることを知ることが可能である。
【考案を実施するための最良の形態】
【０００８】
本願考案が適応される構造物として、モーターの駆動を伝えるベルトを有し、このベルト部にカバーを取り付けた構造をもつものであればどのようなものでも良い。例えば、除害装置の動力、各種ファン類の動力、真空ポンプの動力等が例示される。また、異常を検知されるベルトはどのようなものでも良く、例えばＶベルトが例示される。
【０００９】
ベルトカバー１は前段構造物に付随するカバーであればどのような形状、材質のものでも良いが、ベルトが正常に作動している状況では大きな振動を発生させず、一方でベルトにに異常があった場合、棒状体２を振動させる程度の振動が生じるような構造であることが必要である。ベルトが正常に作動している状況で振動を生じるような構造である場合、ベルトが正常作動中であっても鈴３が鳴ってしまい、結果として誤報となり、一方で構造が強固な場合、ベルトに異常があってもベルトカバー１が振動せず、その結果、鈴３も鳴らず、ベルトの異常通報装置の役目を成さない。
【００１０】
棒状体２はベルトカバー１の振動を伝達・増幅するものであればどのような形状、材質のものでも良い。例えば、棒状体２のベルトカバー側の一端に重りをつけることにより、ベルトカバー１の振動がより増幅され易くなることから好ましい。また、その取り付け位置はベルトカバー１の振動を受ける場所であれば、どのような場所でも良い。
【００１１】
鈴３は、棒状体２からの振動を受けた際、その振動により音を発する構造のものであればどのような形状、材質のものであればどのようなものでも良い。また、その取り付け方法は、棒状体２の片端と触れ、棒状体２が振動した際に鈴３へ振動が伝わる方法であればどのような方法でも良い。例えば、針金で結い付ける、接着剤で貼り付ける、溶接する等の方法が例示される。
【００１２】
以上詳述したように本考案のベルトの異常通報装置を用いる事によって、複雑で高価な装置や特別な設置場所を必要とせず、簡易に取り付ける事ができ、なおかつ電気的信号を利用しないため防爆構造を必要とせずに、モーターの駆動を伝えるベルトに異常があった際、鈴が鳴ることにより、そのベルトの異常を知ることが可能となる。
【図面の簡単な説明】
【００１３】
【図１】本考案のベルトの異常通報装置の具体的一実施例の正面図である。
【実施例】
【００１４】
以下添付図に従って、一実施例を説明する。本考案にベルトの異常通報装置は、例えば図１に示す通り、ベルトカバー１の正面部の中心部付近から上向きに、棒状体２を添うように取り付ける。更に、棒状体２の片端に鈴３を針金により結えつける。ベルトが正常動作している際は、ベルトカバー１は振動せず、鈴３も鳴らないが、ベルトに異常が発生した場合、ベルトカバー１が振動し、この振動を棒状体２が伝達・増幅することで鈴３が鳴り出し、このことにより、ベルトに異常があることを知ることが可能となる。
【符号の説明】
【００１５】
１                    ：ベルトカバー
２                    ：棒状体
３                    ：鈴
【図１】
0003169943.tif 000003